(57)【要約】      （修正有）【課題】自動車充電式携帯電源を提供する。【解決手段】自動車充電式携帯電源は殻体１１ａ、１１ｂ内部に、充電電池１２、充電電池と電気的に連接する回路モジュール１３を備える。回路モジュールと電気的に連接する電線１７は、殻体内部のコードリール１４に巻付き、電線末端は内から外へと殻体から出て行き、延伸して外部装置を連接し充電動作を行う出力インタフェース１８を設置する。殻体外部に設置され、回路モジュールと電気的に連接する入力インタフェース１５と殻体との連接位置には入力インタフェースの方向を改変する方向転換構造１６を設置する。内部の充電電池を通して、使用者は携帯した電子製品に対して充電を行うことができ、コードリールと方向転換構造を通して、入力及び出力インタフェースを収容することができる。  【選択図】図２
0003174829.tif 000002
【実用新案登録請求の範囲】
【請求項１】
自動車充電式携帯電源は、殻体を設置し、
前記殻体内部には、充電電池、前記充電電池と電気的に連接する回路モジュールを設置し、しかも前記殻体反対端には、前記回路モジュールと電気的に連接する入力インタフェースを設置し、
前記入力インタフェースと前記殻体との連接位置には、前記入力インタフェースの方向を変換する方向転換構造を設置し、
前記回路モジュールは、フレキシブル性を備える電線と電気的に連接し、しかも前記電線は、前記殻体内部のコードリールに巻付き、前記電線末端は、内から外へと、前記殻体から出て行き、しかも前記電線末端は延伸して、外部装置を連接し、充電動作を行う出力インタフェースを設置し、
前記コードリールの弾性により、前記出力インタフェースは、巻戻され、或いは開放されることを特徴とする自動車充電式携帯電源。
【請求項２】
前記出力インタフェースは、USB、mini USB、micro USB、或いは各種電子製品ソケットの規格のオスコネクターであることを特徴とする請求項１に記載の自動車充電式携帯電源。
【請求項３】
前記殻体にはさらに、前記回路モジュールと電気的に連接する少なくとも１組の拡張出力インタフェースを設置することを特徴とする請求項１に記載の自動車充電式携帯電源。
【請求項４】
前記拡張出力インタフェースは、前記出力インタフェースとは違った規格の出力インタフェースであることを特徴とする請求項２に記載の自動車充電式携帯電源。
【請求項５】
前記拡張出力インタフェースは、USB、mini USB、或いはmicro USBなど何れかの規格のメスコネクターであることを特徴とする請求項２に記載の自動車充電式携帯電源。
【請求項６】
前記入力インタフェースは、自動車内シガーソケットに挿入して設置する自動車用充電コネクターであることを特徴とする請求項１に記載の自動車充電式携帯電源。
【請求項７】
前記コードリールは、前記殻体内部に、弾性リールホイールを設置し、
しかも、前記弾性リールホイール周囲には、電線を巻付ける溝を取り囲んで設置し、
前記弾性リールホイール片側には、前記弾性リールホイールの弾性で反転させ、電線を巻戻させる巻取り機構を設置し、
前記殻体の片側には、前記巻取り機構と連接する巻取りスイッチを設置することを特徴とする請求項１に記載の自動車充電式携帯電源。
【請求項８】
前記弾性リールホイール片側には、電線導引部品を設置することを特徴とする請求項７に記載の自動車充電式携帯電源。
【請求項９】
前記方向転換構造は、前記入力インタフェース連接端において、外へと棒体を延伸し、
前記棒体両側からは、ピボットをそれぞれ外へと延伸し、しかも前記棒体両側のピボットに挟持台をそれぞれ設置し、
前記入力インタフェースは、前記ピボットと前記挟持台の対応により、回転して折り畳むことができ、
前記ピボット頂点縁より延伸し、定位ホイールを設置し、しかも前記定位ホイール上には、前記定位ホイールに対応する固定台を嵌めて設置し、これにより使用者は、好みに応じて、前記入力インタフェースを動かし角度を固定できることを特徴とする請求項１に記載の自動車充電式携帯電源。
【考案の詳細な説明】
【技術分野】
【０００１】
本考案は自動車充電式携帯電源に関し、特に内部に充電電池を備えるため、使用者は携帯して電子製品の充電を行うことができる自動車充電式携帯電源に関する。
【背景技術】
【０００２】
MP3、PDA、ノートパソコン(Notebook Computer)、電子辞書、デジカメなどのポータブル電子製品にとって、バッテリーはかかせない配備である。繰り返し充電して使うことができるリチウム電池は、コンパクトで経済性が高く、しかも環境保護のニーズに合致する給電方式として、普及が広がっている。
【０００３】
一般に、リチウム電池に充電する場合には、伝送線により、電子製品(携帯電話端末、デジカメなど)と直接連接し、内部のリチウム電池に対して充電を行う。従来の電池充電器は、室内の市内電力を変圧器を通して一定電圧レベルの充電電力に転換し、リチウム電池に対して充電を行うものである。しかし、外出時には、公共電力を簡単に得ることができないため、電子製品に対して充電を行うことができず、使用者にとっては非常に不便である。一方、外出時に最も容易に得られる電力ソースは、自動車上のシガーソケットに他ならないため、自動車充電式の充電器が開発された。
【０００４】
従来の自動車用充電器は、内部に回路モジュールを備える殻体を設置し、しかも殻体の一端は延伸して、回路モジュールと電気的に連接するシガーヘッドを設置する。さらに、殻体の反対端は延伸し、制御回路と電気的に連接する出力インタフェースを設置し、これにより使用者は電子製品を連接して充電を行うことができる。しかし、従来の自動車用充電器は、電子製品の自動車内における充電にしか使うことができず、どこかへ携帯しそこで充電する機能は備えていない。すなわち、その使用範囲は限定されている。本考案は、従来の自動車用充電器の上記した欠点に鑑みてなされたものである。
【考案の概要】
【考案が解決しようとする課題】
【０００５】
本考案が解決しようとする第一の課題は、内部に充電電池を備えるため、使用者は携帯し、電子製品の充電を行うことができる自動車充電式携帯電源を提供することである。
本考案が解決しようとする第二の課題は、コードリールを備えるため、使用者はコードを機器内に巻取ることができ、出力インタフェースを簡単に収容することができる自動車充電式携帯電源を提供することである。
【課題を解決するための手段】
【０００６】
上記課題を解決するため、本考案は下記の自動車充電式携帯電源を提供する。
自動車充電式携帯電源は、殻体を設置し、
該殻体内部には、充電電池、該充電電池と電気的に連接する回路モジュールを設置し、しかも該殻体反対端には、該回路モジュールと電気的に連接する入力インタフェースを設置し、
該入力インタフェースと該殻体との連接位置には、該入力インタフェースの方向を変換する方向転換構造を設置し、
該回路モジュールは、フレキシブル性を備える電線と電気的に連接し、しかも該電線は、該殻体内部のコードリールに巻取り、該電線末端は、内から外へと、該殻体から出て行き、しかも該電線末端は延伸して、外部装置を連接し、充電動作を行う出力インタフェースを設置し、
該コードリールの弾性により、該出力インタフェースは、巻戻され、或いは開放され、
該コードリールは、該殻体内部に、弾性リールホイールを設置し、
しかも、該弾性リールホイール周囲には、電線を巻取る溝を取り囲んで設置し、
該弾性リールホイール片側には、該弾性リールホイールの弾性で反転させ、電線を巻戻させる巻取り機構を設置し、
該殻体の片側には、該巻取り機構と連接する巻取りスイッチを設置し、
該弾性リールホイール片側にはさらに、電線導引部品を設置し、
該出力インタフェースは、USB、mini USB、micro USB、或いは各種電子製品ソケットなどの規格のオスコネクターで、
該方向転換構造は、該入力インタフェース連接端において、外へと棒体を延伸し、
該棒体両側からは、ピボットをそれぞれ外へと延伸し、しかも該棒体両側のピボットに挟持台をそれぞれ設置し、
該入力インタフェースは、該ピボットと該挟持台の対応により、回転して折り畳むことができ、
該ピボット頂点縁より延伸し、定位ホイールを設置し、しかも該定位ホイール上には、該定位ホイールに対応する固定台を嵌めて設置し、これにより使用者は、好みに応じて、該入力インタフェースを動かし角度を固定でき、
該殻体にはさらに、該回路モジュールと電気的に連接する少なくとも１組の拡張出力インタフェースを設置し、
該拡張出力インタフェースは、USB、mini USB、或いはmicro USBなどの規格のメスコネクターである。
【考案の効果】
【０００７】
本考案の自動車充電式携帯電源は、殻体内部の充電電池により蓄電するため、使用者はあらゆる場所へと携帯し、電子製品の充電を行うことができる。また、殻体内部のコードリールにより、使用者は電線を殻体内に巻取ることができ、出力インタフェースを簡単に収納する効果を達成することができる。さらに、入力インタフェース連接位置を通して、方向転換構造を設置するため、使用者は入力インタフェースの方向を手軽に調整することができ、しかも入力インタフェースを便利に収納することができる。
【図面の簡単な説明】
【０００８】
【図１】本考案一実施例の立体模式図である。
【図２】図１の分解模式図である。
【図３】図２に示すコードリールの分解模式図である。
【図４】図３に示すコードリールが電線を開放する様子を示す模式図である。
【図５】図３に示すコードリールが電線を巻取る様子を示す模式図である。
【図６】図１に示す出力インタフェースを引き出し、及び戻す様子を示す模式図である。
【図７】図２に示す方向転換構造の分解模式図である。
【図８】図１に示す入力インタフェースを外へと及び内へと動作させる様子を示す模式図である。
【考案を実施するための形態】
【０００９】
以下に図面を参照しながら本考案を実施するための最良の形態について詳細に説明する。
【実施例】
【００１０】
図１、２に示すように、本考案自動車充電式携帯電源１０は、殻体１１を設置する。殻体１１は、左半分殻体１１a、右半分殻体１１bが組み合わさり構成される。しかも、殻体１１には、第一孔１１１、第二孔１１２、第三孔１１３をそれぞれ設置する。殻体１１内部には、充電電池１２、充電電池１２と電気的に連接する回路モジュール１３、コードリール１４をそれぞれ設置する。殻体１１の反対端には、回路モジュール１３と電気的に連接する入力インタフェース１５を設置する。入力インタフェース１５と殻体１１との連接位置には、入力インタフェース１５の方向を改変する方向転換構造１６を設置する。
【００１１】
回路モジュール１３は、フレキシブル性を備える電線１７と電気的に連接する。電線１７は、コードリール１４に巻付く。電線１７末端は、内から外へと、第一孔１１１を貫通する。電線１７末端は延伸して、外部装置を連接し、充電動作を行う出力インタフェース１８を設置する。コードリール１４の弾性により、出力インタフェース１８は、巻戻され、或いは開放される。
【００１２】
一実施例では、出力インタフェース１８は、USB、mini USB、或いはmicro USBなど何れかの規格のオスコネクターである。
【００１３】
上記した殻体１１にはさらに、回路モジュール１３と電気的に連接する少なくとも１組の拡張出力インタフェース１９を設置する。図に示すように、拡張出力インタフェース１９は、第二孔１１２に設置し、これにより使用者は外部電子製品を連接する電源線を別に挿入して設置することができる。こうして、使用者は、２個の外部電子製品に対して充電を行うことができる。
【００１４】
一実施例では、拡張出力インタフェース１９は、出力インタフェース１８とは違った規格の出力インタフェースである。上記した拡張出力インタフェース１９は、USB、mini USB、或いはmicro USBなど何れかの規格のメスコネクターである。
【００１５】
図３、４に示すように、コードリール１４は、殻体１１内部に、弾性リールホイール１４１を設置する。弾性リールホイール１４１周囲には、電線１７を巻付ける溝１４２を取り囲んで設置する。弾性リールホイール１４１片側には、弾性リールホイール１４１を触発し弾性で反転させ、電線１７を巻戻させる巻取り機構１４３を設置する。殻体１１の第三孔１１３には、巻取り機構１４３と連接する巻取りスイッチ１４４を設置する。
【００１６】
巻取り機構１４３は、弾性リールホイール１４１に、凹槽１４３aを設置する。凹槽１４３a頂点縁には、少なくとも１個の位置限定槽１４３cを環状に設置する。巻取りスイッチ１４４は下方へと延伸して、巻取り部品１４３bを連接する。巻取り部品１４３bには、位置限定槽１４３cと対応する位置限定部品１４３dを設置する。これにより、弾性リールホイール１４１を係合して固定し、或いは弾性リールホイール１４１を開放して反転させ電線を巻取らせることができる。
【００１７】
一実施例では、コードリール１４の弾性リールホイール１４１片側には、弾性リールホイール１４１に対応する導引部品１４５を設置する。これにより、弾性リールホイール１４１の反転時に電線の巻取りを導引することができ、しかも導引部品１４５を通して、電線１７と回路モジュール１３との直接接触を避け、電線１７の摩擦による損傷を減らすことができる。
【００１８】
図４、５、６に示すように、使用実施例中では、使用者が本考案を使用し、外部の電子製品に対して充電を行う時には、先ず、出力インタフェース１８を外へと引き出し、出力インタフェース１８を、充電しようとする電子製品に直接連接する。次に、殻体１１内部の充電電池１２により放電を行い、上記した電線１７を通して、出力インタフェース１８へと電力を伝導し、こうして外部の電子製品に対して充電を行う。使用完了後は、出力インタフェース１８を、電子製品から取り除き、巻取りスイッチ１４４を押せば、コードリール１４は弾性で反転し電線を巻取る。
【００１９】
本考案はまた、拡張出力インタフェース１９を採用し、外部の電子製品に対して充電を行うことができる。この際には、拡張出力インタフェース１９に、外部の電子製品に対応して充電する電源線(図示なし)を挿入して設置し、電子製品に直接連接する。
次に、殻体１１内部の充電電池１２により放電を行い、上記した拡張出力インタフェース１９を通して、電源線へと電力を伝導し、こうして外部の電子製品に対して充電を行う。使用完了後は、電源線を、拡張出力インタフェース１９及び外部電子製品から取り除くだけで良い。
【００２０】
図７に示すように、方向転換構造１６は、入力インタフェース１５連接端において、外へと棒体１５１を延伸する。棒体１５１両側からは、ピボット１５２をそれぞれ外へと延伸する。棒体１５１両側のピボット１５２に挟持台１６１をそれぞれ設置する。挟持台１６１には、ピボット１５２に対応する穿孔１６２を設置する。穿孔１６２周縁には、少なくとも1個の係合槽１６３を設置する。ピボット１５２頂点縁より延伸し、定位ホイール１５３を設置する。定位ホイール１５３には、複数の定位部品１５４を環状に設置する。定位ホイール１５３上には、固定台１６４を嵌めて設置する。固定台１６４は、係合槽１６３に対応する係合部品１６５、定位部品１５４に対応する定位槽１６６を備える。ピボット１５２は、挟持台１６１内で回転し、これにより使用者は、入力インタフェース１５を捲って畳み収納することができる。しかも、定位ホイール１５３と固定台１６４との相互対応を通して、使用者の好みに応じて、入力インタフェース１５の角度を固定することができる。
【００２１】
一実施例では、入力インタフェース１５は、自動車内シガーソケットに挿入して設置する自動車用充電コネクターである。
【００２２】
図８に示すように、使用者が内部の充電電池１２に対して充電を行う時には、先ず、入力インタフェース１５を外へと適当な角度まで展開させる。これにより、入力インタフェース１５は、外に向かう。次に、入力インタフェース１５を、自動車内のシガーソケットに直接接続し、内部の充電電池１２に対して充電を行う。
【００２３】
別に、出力インタフェース１８、或いは拡張出力インタフェース１９を、充電しようとする電子製品に接続する時には、入力インタフェース１５により取り込まれる電力は、出力インタフェース１８或いは拡張出力インタフェース１９が接続する電子製品に対して、直接充電動作を行うことができる。充電完了後は、入力インタフェース１５を内向きに折り畳めば、入力インフェース１５を収納することができる。
【００２４】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２５】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２６】
１０    自動車充電式携帯電源
１１    殻体
１１a   左半分殻体
１１b   右半分殻体
１１１  第一孔
１１２  第二孔
１１３  第三孔
１２    充電電池
１３    回路モジュール
１４    コードリール
１４１  弾性リールホイール
１４２  溝
１４３  巻取り機構
１４３a 凹槽
１４３b 巻取り部品
１４３c 位置限定槽
１４３d 位置限定部品
１４４  巻取りスイッチ
１４５  導引部品
１５    入力インタフェース
１５１  棒体
１５２  ピボット
１５３  定位ホイール
１５４  定位部品
１６    方向転換構造
１６１  挟持台
１６２  穿孔
１６３  係合槽
１６４  固定台
１６５  係合部品
１６６  定位槽
１７    電線
１８    出力インタフェース
１９    拡張出力インタフェース
【図１】
0003174829.tif 000003
【図２】
0003174829.tif 000004
【図３】
0003174829.tif 000005
【図４】
0003174829.tif 000006
【図５】
0003174829.tif 000007
【図６】
0003174829.tif 000008
【図７】
0003174829.tif 000009
【図８】
0003174829.tif 000010
【手続補正書】
【提出日】平成24年2月8日(2012.2.8)
【手続補正１】
【補正対象書類名】明細書
【補正対象項目名】０００６
【補正方法】変更
【補正の内容】
【０００６】
上記課題を解決するため、本考案は下記の自動車充電式携帯電源を提供する。
自動車充電式携帯電源は、殻体を設置し、
該殻体内部には、充電電池、該充電電池と電気的に連接する回路モジュールを設置し、しかも該殻体外部には、該回路モジュールと電気的に連接する入力インタフェースを設置し、
該入力インタフェースと該殻体との連接位置には、該入力インタフェースの方向を変換する方向転換構造を設置し、
該回路モジュールは、フレキシブル性を備える電線と電気的に連接し、しかも該電線は、該殻体内部のコードリールに巻取り、該電線末端は、内から外へと、該殻体から出て行き、しかも該電線末端は延伸して、外部装置を連接し、充電動作を行う出力インタフェースを設置し、
該コードリールの弾性により、該出力インタフェースは、巻戻され、或いは開放され、該コードリールは、該殻体内部に、弾性リールホイールを設置し、
しかも、該弾性リールホイール周囲には、電線を巻取る溝を取り囲んで設置し、
該弾性リールホイール片側には、該弾性リールホイールの弾性で反転させ、電線を巻戻させる巻取り機構を設置し、
該殻体の片側には、該巻取り機構と連接する巻取りスイッチを設置し、
該弾性リールホイール片側にはさらに、電線導引部品を設置し、
該出力インタフェースは、USB、mini USB、micro USB、或いは各種電子製品ソケットなどの規格のオスコネクターで、
該方向転換構造は、該入力インタフェース連接端において、外へと棒体を延伸し、
該棒体両側からは、ピボットをそれぞれ外へと延伸し、しかも該棒体両側のピボットに挟持台をそれぞれ設置し、
該入力インタフェースは、該ピボットと該挟持台の対応により、回転して折り畳むことができ、
該ピボット頂点縁より延伸し、定位ホイールを設置し、しかも該定位ホイール上には、該定位ホイールに対応する固定台を嵌めて設置し、これにより使用者は、好みに応じて、該入力インタフェースを動かし角度を固定でき、
該殻体にはさらに、該回路モジュールと電気的に連接する少なくとも１組の拡張出力インタフェースを設置し、
該拡張出力インタフェースは、USB、mini USB、或いはmicro USBなどの規格のメスコネクターである。
【手続補正２】
【補正対象書類名】実用新案登録請求の範囲
【補正対象項目名】請求項１
【補正方法】変更
【補正の内容】
【請求項１】
自動車充電式携帯電源は、殻体を設置し、
前記殻体内部には、充電電池、前記充電電池と電気的に連接する回路モジュールを設置し、しかも前記殻体外部には、前記回路モジュールと電気的に連接する入力インタフェースを設置し、
前記入力インタフェースと前記殻体との連接位置には、前記入力インタフェースの方向を変換する方向転換構造を設置し、
前記回路モジュールは、フレキシブル性を備える電線と電気的に連接し、しかも前記電線は、前記殻体内部のコードリールに巻付き、前記電線末端は、内から外へと、前記殻体から出て行き、しかも前記電線末端は延伸して、外部装置を連接し、充電動作を行う出力インタフェースを設置し、
前記コードリールの弾性により、前記出力インタフェースは、巻戻され、或いは開放されることを特徴とする自動車充電式携帯電源。